Podtech/llm-jp-corpus-v4-ja_patent huggingface dataset:
【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
遊技機前面を覆う扉体と、
周方向に周回するとともに、この周方向に複数種の絵柄が配列された複数の周回体と、
前記扉体に設けられ、同扉体の前方から前記周回体の絵柄を透視可能とする第１透視窓と、
前記各周回体の回転を開始させるべく操作される始動操作手段と、
前記各周回体の回転を停止させるべく操作される停止操作手段と、
前記始動操作手段の操作により前記周回体を回転させるよう制御し、前記停止操作手段の操作により前記周回体の回転を停止させるよう制御する制御手段と
を備え、
前記各周回体の停止後に、前記第１透視窓から透視できる有効位置に前記絵柄によって形成される特定絵柄又は特定絵柄の組合せが成立した場合には遊技者に特典を付与するようにした遊技機において、
取付対象に対して着脱自在な枠体に少なくとも前記周回体及び前記制御手段を設けて交換ユニットを構成し、
前記交換ユニットに機種固有の装飾部材又は装飾部を設けるための装飾領域を設けるとともに、前記扉体に前記装飾領域を透視可能とする第２透視窓を設けたことを特徴とする遊技機。
【請求項２】
遊技機前面を覆う扉体と、
周方向に周回するとともに、この周方向に複数種の絵柄が配列された複数の周回体と、
前記扉体に設けられ、同扉体の前方から前記周回体の絵柄を透視可能とする透視窓と、
前記各周回体の回転を開始させるべく操作される始動操作手段と、
前記各周回体の回転を停止させるべく操作される停止操作手段と、
前記始動操作手段の操作により前記周回体を回転させるよう制御し、前記停止操作手段の操作により前記周回体の回転を停止させるよう制御する制御手段と
を備え、
前記各周回体の停止後に、前記透視窓から透視できる有効位置に前記絵柄によって形成される特定絵柄又は特定絵柄の組合せが成立した場合には遊技者に特典を付与するようにした遊技機において、
取付対象に対して着脱自在な枠体に少なくとも前記周回体及び前記制御手段を設けて交換ユニットを構成し、
前記交換ユニットに、前記透視窓を介して前記周回体の絵柄を透視可能とする開口部が形成された前面部を設け、
前記前面部における前記開口部の周囲領域を、前記透視窓を介して透視可能とした装飾領域とし、同装飾領域に機種固有の装飾部材又は装飾部を設けたことを特徴とする遊技機。
【請求項３】
遊技機前面を覆う扉体と、
周方向に周回するとともに、この周方向に複数種の絵柄が配列された複数の周回体と、
前記扉体に設けられ、同扉体の前方から前記周回体の絵柄を透視可能とする透視窓と、
前記周回体とは別に遊技の表示を行う表示装置と、
前記各周回体の回転を開始させるべく操作される始動操作手段と、
前記各周回体の回転を停止させるべく操作される停止操作手段と、
前記始動操作手段の操作により前記周回体を回転させるよう制御し、前記停止操作手段の操作により前記周回体の回転を停止させるよう制御する制御手段と
を備え、
前記各周回体の停止後に、前記透視窓から透視できる有効位置に前記絵柄によって形成される特定絵柄又は特定絵柄の組合せが成立した場合には遊技者に特典を付与するようにした遊技機において、
取付対象に対して着脱自在な枠体に少なくとも前記周回体、前記表示装置及び前記制御手段を設けて交換ユニットを構成し、
前記交換ユニットに、前記周回体の絵柄を透視可能とする第１開口部と前記表示装置の表示領域を透視可能とする第２開口部とが形成された前面部を設け、
前記透視窓を介して前記第１開口部、前記第２開口部及び両開口部の間の領域を透視可能としたことを特徴とする遊技機。
【請求項４】
前記枠体に、前記周回体とは別に遊技の表示を行う表示装置を設けて前記交換ユニットを構成するとともに、前記前面部に前記透視窓を介して同表示装置の表示部を透視可能とする表示用開口部を形成し、
前記前面部における前記開口部及び前記表示用開口部の周囲領域を前記装飾領域としたことを特徴とする請求項２に記載の遊技機。
【請求項５】
遊技媒体として使用される遊技球を払い出す払出手段を含む払出ユニットを備え、
前記取付対象を前記扉体として、前記扉体の背面側に、前記交換ユニット及び前記払出ユニットを各々回動可能に同軸支持する支持手段を設けたことを特徴とする請求項１乃至請求項４のいずれか１つに記載の遊技機。
【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
少なくとも特定方向に向けて光を照射可能な光源と、
前記光源の光の照射側において前記特定方向に沿った方向を軸線として回転可能に設けられた回転部材と、
前記回転部材を回転させる駆動手段と、
前記特定方向に向けて拡径した略椀状に構成され、前記回転部材の外周を囲むようにして設けられた反射手段とを具備する電飾手段を備えた遊技機であって、
前記回転部材は、放射状に設けられた複数枚の羽根を有し、
前記羽根は、その両面が前記回転部材の軸線方向に対して交差するとともに、前記光源から発せられ、前記羽根の裏面に当たった光が、少なくとも前記反射手段の内周面に向けて反射するように設けられていることを特徴とする遊技機。
【請求項２】
前記電飾手段は、前記光源と前記羽根との間に、前記特定方向に向けて凸となる形状をなすとともに、前記光源から発せられた光の透過を許容し、光の透過に際して該光を拡散させる拡散手段を備え、
少なくとも前記拡散手段の先端部を前記反射手段の内側に位置させたことを特徴とする請求項１に記載の遊技機。
【請求項３】
前記羽根は、その裏面の少なくとも一部に当たった前記光源からの光を、自身と隣接する羽根の表面の少なくとも一部に向けて反射可能となるように相対配置されていることを特徴とする請求項１又は２に記載の遊技機。
【請求項４】
前記電飾手段は、
前記回転部材の前記特定方向側において、筒状の透明な側壁部、及び、該側壁部の前記特定方向側を閉塞し、光の透過を許容する領域と光を透過させない領域とを有する前壁部を具備する透光手段と、
前記反射手段の前記特定方向側において、前記特定方向側に広がるようにして延びる壁状の衝立部材とを備え、
前記電飾手段を、前記特定方向が遊技機の前方となるように配置して、前記前壁部の前記光の透過を許容する領域を透過する前記光源からの光を前方から視認可能とするとともに、
前記透光手段を、前記側壁部の少なくとも前側の周縁部が前記衝立部材に覆われた状態となるように、前記側壁部の前側を前記衝立部材の後端部よりも前方に突出させて配置し、当該側壁部を透過して前記衝立部材の内周面に投射された前記光源からの光を前方から視認可能としたことを特徴とする請求項１乃至３のいずれかに記載の遊技機。
【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
遊技球を貯留する貯留部と、
該貯留部から流下する遊技球を導入し、該遊技球の通過を許容又は阻止する遊技球処理装置と、
該遊技球処理装置を収容する収容部と、
を備え、
前記遊技球処理装置は前記収容部の開口部を通じて所定方向にスライド移動させることで着脱可能な構成であり、
さらに、前記遊技球処理装置を取り外し不可とするロック状態と取り外し可能とするアンロック状態とに切り換え可能な切換部材と、
該切換部材が前記ロック状態に切り換わることに連動して前記貯留部に設けられた前記遊技球処理装置への球出口の遊技球の通過を可能とする開位置に移動し、前記アンロック状態に切り換わることに連動して前記球出口の遊技球の通過を不可とする閉位置に移動する開閉部材と
を備え、
前記切換部材は、当該切換部材の切り換えに伴って前記収容部の開口部に対して出没することで、前記ロック状態では前記遊技球処理装置の取り外し側端面に当接し、前記アンロック状態では当接しない当接部を有していることを特徴とする遊技機。
【請求項２】
前記切換部材が前記アンロック状態に切り換えられる場合、前記遊技球処理装置が取り外し可能となる前に前記開閉部材が前記閉位置に到達するようにしたことを特徴とする請求項１に記載の遊技機。
【請求項３】
前記貯留部は、遊技機の前面部において左右方向に延びる皿状をなし、その一部に前記球出口を有し、
前記開閉部材は、前記貯留部の下方において該貯留部の底部に重ねて配置され、一端が前記球出口に対して出没することを特徴とする請求項１又は２に記載の遊技機。
【請求項４】
前記切換部材を前記アンロック状態に保持するアンロック状態保持手段を設けたことを特徴とする請求項１乃至３のいずれか１に記載の遊技機。
【請求項５】
前記切換部材を前記ロック状態に保持するロック状態保持手段を設けたことを特徴とする請求項１乃至４のいずれか１に記載の遊技機。
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
上方に開放され複数の遊技球を貯留する球受け皿を遊技機前面部に備えると共に、
前記球受け皿から流出する遊技球が導入される取込側遊技球通路と、駆動手段により駆動されることで遊技球の前記取込側遊技球通路の通過を阻止又は許容する球止め部材と、該球止め部材の下流側にて前記取込側遊技球通路を通過する遊技球を検知する球検知手段とを有する取込装置を備え、
前記球検知手段により所定数の遊技球が検知された場合に遊技の開始が許容される遊技機であって、
前記球受け皿において前記取込装置への球出口に流下する遊技球を整列させる球受け皿側遊技球通路と前記取込側遊技球通路とを、これら両通路を流れる遊技球の経路が段差状となるように設け、
この段差状となった部分における上流側の経路変化位置、及び下流側の経路変化位置のそれぞれに、それまでの経路の延長線上にてその遊技球流下方向に対して交差する方向に延びる上流側負荷吸収部及び下流側負荷吸収部を設けたことを特徴とする遊技機。
【請求項２】
前記球受け皿側遊技球通路が前記球出口に向けて斜め下方に延び、さらに前記取込側遊技球通路において前記球止め部材よりも上流側部分が前記球止め部材に向けて斜め下方に延びる構成において、
前記取込側遊技球通路の底部が低位となるように前記球受け皿側遊技球通路の底部と前記取込側遊技球通路の底部との間に段差部を設けることで、前記球受け皿側遊技球通路及び前記取込側遊技球通路を流れる遊技球の経路を段差状としたことを特徴とする請求項１に記載の遊技機。
【請求項３】
前記段差状となるようにした位置よりも上流側の経路の延長線上であって前記段差部に対して遊技球１個分よりも離れた位置に前記上流側負荷吸収部を設けたことを特徴とする請求項２に記載の遊技機。
【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
遊技球を貯留する貯留部と、
着脱可能に設けられ、前記貯留部から流下する遊技球を導入する遊技球処理装置とを備え、
同遊技球処理装置のハウジング内に、前記導入された遊技球が自重により流下する遊技球通路と、同遊技球通路の所定位置に設けられ駆動手段により駆動されることで前記遊技球通路の遊技球の通過を阻止又は許容する球止め部材とを備え、
前記遊技球通路を通過する遊技球が球検知手段により検知される遊技機において、
前記遊技球通路は前記球止め部材よりも上流側に、同球止め部材に向けて下り傾斜した底面上を遊技球が転動して流下する上流通路を備え、
同上流通路の前記底面がハウジング外部に露出されるように前記ハウジングの上部を上方に開放したことを特徴とする遊技機。
【請求項２】
前記上流通路内にて遊技球が積み重なるのを防止すべく、前記上流通路の上面開放側を覆うカバー部材を設けたことを特徴とする請求項１に記載の遊技機。
【請求項３】
遊技機前面側にて遊技球を貯留する球受け皿と、
着脱可能に設けられ、前記球受け皿から流下する遊技球を取り込む取込装置とを備え、
同取込装置のハウジング内に、前記球受け皿から流下した遊技球が自重により流下する取込通路と、同取込通路の所定位置に設けられ駆動手段により駆動されることで前記取込通路の遊技球の通過を阻止又は許容する球止め部材と、同球止め部材の下流側に設けられ前記取込通路を通過する遊技球を検知する球検知手段とを有し、
同球検知手段により予め定められた数の遊技球が検知された場合に遊技の開始が許容される遊技機において、
前記取込通路は、前記球止め部材よりも上流側に、同球止め部材に向けて下り傾斜した底面上を遊技球が転動して流下する上流通路を備え、
同上流通路の前記底面がハウジング外部に露出されるように前記ハウジングの上部を上方に開放し、
さらに、前記上流通路内にて遊技球が積み重なるのを防止すべく、前記上流通路の上面開放側を覆うカバー部材を設け、
前記底面が遊技機前面側から視認可能となるように、前記取込装置を前記球受け皿に対して横並びで配置すると共に、前記カバー部材を透明材料で形成したことを特徴とする遊技機。
【請求項４】
前記カバー部材を遊技機本体に取り付け、前記取込装置を前記カバー部材が前記遊技機本体に取り付けられた状態で取り外し可能に設けたことを特徴とする請求項３に記載の遊技機。
【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
遊技機前面側に設けられ、遊技球を貯留する球受け皿と、
その球受け皿の球入口を介して遊技球を払い出す払出手段と、
前記球受け皿の球出口を介して遊技球を取り込む取込手段と
を備え、
その取込手段により予め定められた数の遊技球が取り込まれた場合に遊技の開始が許容される遊技機において、
前記取込手段には複数の取込通路を並設し、
前記球受け皿は、前記球出口に向けて下り傾斜とされ、その傾斜方向へ前記貯留される遊技球が整列するように誘導する球整列通路と、当該球整列通路に対して区画させて設けられ、前記球入口を介して流入した遊技球を前記球整列通路に導く球導入領域とを備え、
前記球整列通路の通路幅を、前記遊技球が整列する遊技球列が通路幅方向に前記取込通路と同数並ぶ幅に設定したことを特徴とする遊技機。
【請求項２】
遊技機前面側に設けられ、遊技球を貯留する球受け皿と、
その球受け皿の球入口を介して遊技球を払い出す払出手段と、
前記球受け皿の球出口を介して遊技球を取り込む取込手段と
を備え、
その取込手段により予め定められた数の遊技球が取り込まれた場合に遊技の開始が許容される遊技機において、
前記取込手段には複数の取込通路を並設し、
前記球受け皿は、
前記球出口に向けて下り傾斜とされるとともに、その傾斜方向へ前記貯留される遊技球が整列するように誘導する球整列通路と、
前記球入口を介して流入した遊技球を前記球整列通路に導く球導入領域と
を備え、
前記球整列通路の通路幅を、前記遊技球が整列する遊技球列が通路幅方向に前記取込通路と同数並ぶ幅に設定し、
前記球整列通路が低位となるように球整列通路と前記球導入領域との間に段差部を設け、この段差部により前記球整列通路と前記球導入領域とを区画したことを特徴とする遊技機。
【請求項３】
前記段差部の高さ方向寸法を、遊技球の半径以上としたことを特徴とする請求項２に記載の遊技機。
【請求項４】
前記段差部の高さ方向寸法を、遊技球の直径未満としたことを特徴とする請求項２又は３に記載の遊技機。
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
遊技機前面側に設けられ、遊技球を貯留する球受け皿と、
その球受け皿の球入口を介して遊技球を払い出す払出手段と、
前記球受け皿の球出口を介して遊技球を取り込む取込手段と
を備え、
その取込手段により予め定められた数の遊技球が取り込まれた場合に遊技の開始が許容される遊技機において、
前記取込手段には、複数の取込通路を並設し、
前記球受け皿には、前記球出口に向けて下り傾斜し前記貯留される遊技球を球出口に導出する球導出領域を設定し、
前記球導出領域に、その中途位置から前記球出口へ続く仕切部を略遊技球１個分隔てて設け、
この仕切部により前記球導出領域の下流部を区分けし前記取込通路と同数の球分け通路を形成したことを特徴とする遊技機。
【請求項２】
遊技機前面側に設けられ、遊技球を貯留する球受け皿と、
その球受け皿の球入口を介して遊技球を払い出す払出手段と、
前記球受け皿の球出口を介して遊技球を取り込む取込手段と
を備え、
その取込手段により予め定められた数の遊技球が取り込まれた場合に遊技の開始が許容される遊技機において、
前記取込手段には、複数の取込通路を並設し、
前記球受け皿には、前記球出口に向けて下り傾斜し前記貯留される遊技球を球出口に導出する球導出領域を設定し、
前記球導出領域に、その中途位置から前記球出口へ続く仕切部を略遊技球１個分隔てて設け、
この仕切部により前記球導出領域の下流部を区分けし前記取込通路と同数の球分け通路を形成し、
さらに、前記球導出領域は、前記各球分け通路の上流側に、これら各球分け通路に向けて前記貯留される遊技球を整列させる球整列通路を備え、
その通路幅を、前記遊技球が整列する遊技球列が通路幅方向に前記球分け通路と同数並ぶ幅に設定し、
前記各球分け通路の通路長を、隣り合う球分け通路の通路長差が遊技球の直径の非整数倍分となるよう設定したことを特徴とする遊技機。
【請求項３】
前記各取込通路を所定間隔置いて配置し、
前記各球分け通路の下流側端部の位置を、前記各取込通路の配置間隔に対応させて設定し、
さらに前記仕切部の上流側端部を、先細り形状としたことを特徴とする請求項１又は２に記載の遊技機。
【請求項４】
前記仕切部を、少なくともその上流側端部付近では同上流側端部に向けて背が低くなり、同上流側端部では前記仕切部上に遊技球が乗り上げ可能な高さとなるように形成し、
さらに、前記各球分け通路内にて遊技球が積み重なるのを防止すべく前記各球分け通路の上面開放側を覆う規制部材を、前記仕切部における上流側端部に向けて背が低くなっている部位の中途位置から前記球出口側に向けて延設させたことを特徴とする請求項１乃至３のいずれか１に記載の遊技機。
【請求項５】
前記球受け皿は、前記球入口を介して流入した遊技球を前記球導出領域に導く球導入領域を備え、
前記球導出領域における前記球導入領域からの遊技球導入部分を、前記仕切部の上流側端部よりも遊技球流下方向上流側に設けたことを特徴とする請求項１乃至４のいずれか１に記載の遊技機。
【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
払出装置から払い出される遊技球を貯留する上皿と、
同上皿にて余剰となった遊技球を貯留する下皿と、
前記上皿に貯留された遊技球が導入される遊技球取込用通路を複数列有すると共に、駆動手段により駆動されることで前記各遊技球取込用通路の遊技球の通過を阻止又は許容する球受け部材を有する取込装置と
を備え、
同取込装置により予め定められた数の遊技球が取り込まれた場合に遊技の開始が許容される遊技機であって、
前記取込装置の横方向の変位を規制し、且つ同取込装置を載置した状態で支持する支持部を設け、
前記余剰となった遊技球を前記下皿に誘導する余剰球用誘導通路を、その通路壁により前記支持部の少なくとも一部を形成するように設けたことを特徴とする遊技機。
【請求項２】
前記余剰球用誘導通路を、その遊技球経路を途中位置にてオフセットさせ且つそのオフセットさせて折れ曲がり形状となった通路壁により前記支持部の少なくとも一部を形成するように設けたことを特徴とする請求項１に記載の遊技機。
【請求項３】
前記取込装置は、前記遊技球取込用通路から分岐して設けられ遊技球を取込装置外部へ排出する排出通路と、同排出通路の入口部分に設けられ同排出通路の遊技球の通過を阻止又は許容する排出用球受け部材とを備え、
前記排出通路に連通し同排出通路を通過した遊技球を前記下皿へ誘導する排出球用誘導通路を、その通路壁により前記支持部の少なくとも一部を形成するように設けたことを特徴とする請求項１又は２に記載の遊技機。
【請求項４】
前記排出用誘導通路と前記余剰球用誘導通路とを、合流させる構成としたことを特徴とする請求項３に記載の遊技機。
【請求項５】
前記排出球用誘導通路と前記余剰球用誘導通路とを、それぞれが前記支持部の一部を形成する部分にて合流させる構成としたことを特徴とする請求項３に記載の遊技機。
【請求項６】
前記各遊技球取込用通路を通過した遊技球を遊技機外部に排出するための外部排出通路を備え、
同外部排出通路を、その通路壁により前記支持部の少なくとも一部を形成するように設けたことを特徴とする請求項１乃至５のいずれか１に記載の遊技機。
【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
遊技機前面側に設けられ、遊技球を貯留する球受け皿と、
前記球受け皿の球入口を介して遊技球を払い出す払出手段と、
前記球受け皿の球出口を介して遊技球を取り込む取込手段と、
遊技球の取込を行う際に操作される取込操作手段と
を備え、
前記取込操作手段が操作されることにより前記取込手段が動作し、当該取込手段により予め定めた数の遊技球が取り込まれた場合に遊技の開始が許容される遊技機において、
前記球受け皿の周壁前面部の一部を後方へ後退させた凹部を設け、その凹部によって形成される領域内に前記取込操作手段の少なくとも一部が含まれるように配置したことを特徴とする遊技機。
【請求項２】
前記取込操作手段は、
遊技者により押し操作される操作部と、
前記操作部の下側に設けられ、前記操作部が押し操作されることにより下方へ移動する移動部と、
前記操作部の下方に設けられ、前記移動部を上方へ付勢する付勢部材と、
前記操作部の下方に設けられ、前記操作部が押し操作されたことを検出する検出器と、
前記操作部とともに、上記移動部、上記付勢部材及び上記検出器を収容するハウジングと
を備え、
前記凹部を形成する壁部を、前記球受け皿の底面から連続して上方に起立させたことを特徴とする請求項１に記載の遊技機。
【請求項３】
前記壁部が、前記取込操作手段に作用する荷重を支える構造としたことを特徴とする請求項２に記載の遊技機。
【請求項４】
前記球入口を前方に向けて配設し、前記底面を前記球入口から前記球出口に向けて下り傾斜とするとともに、前記凹部を前記球入口よりも若干下流側に形成したことを特徴とする請求項２又は請求項３に記載の遊技機。
【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
導電線と、
前記導電線を保持するための第１の保持部材と、
前記第１の保持部材の一部に積層配置された第２の保持部材とを具備したことを特徴とするフレキシブルコイル。
【請求項２】
前記導電線に誘起される磁気共鳴信号を回路基板部に伝送するためのコネクタを更に備え、
前記第２の保持部材は、第１の保持部材において前記コネクタ近傍に配置されることを特徴とする請求項１に記載のフレキシブルコイル。
【請求項３】
前記導電線は、前記第１の保持部材に形成されるフレキシブルプリント基板であって、
前記コネクタは、前記第１の保持部材に設けられていることを特徴とする請求項２に記載のフレキシブルコイル。
【請求項４】
前記第１の保持部材は、前記導電線を挟み込む複数枚のシート材であることを特徴とする請求項１乃至請求項３のいずれか一項に記載のフレキシブルコイル。
【請求項５】
前記第２の保持部材は、前記コネクタ近傍において前記積層方向に対称的に配置された複数枚のシート材であることを特徴とする請求項２に記載のフレキシブルコイル。
【請求項６】
前記第２の保持部材は、前記コネクタから離れた位置において前記積層方向に非対称的に配置されたシート材であることを特徴とする請求項２に記載のフレキシブルコイル。
【請求項７】
前記第１の保持部材および前記第２の保持部材を構成するもの各々が滑ることが可能なように、前記第１の保持部材および前記第２の保持部材を覆う発泡材をさらに備えることを特徴とする請求項１乃至請求項６のいずれか一項に記載のフレキシブルコイル。
【請求項８】
前記第１の保持部材および前記第２の保持部材を構成するもの各々が滑ることが可能なように、前記第１の保持部材および前記第２の保持部材の一部を束ねる結束バンドをさらに備えることを特徴とする請求項１乃至請求項６のいずれか一項に記載のフレキシブルコイル。
【請求項９】
前記第１の保持部材および前記第２の保持部材を構成する各々の間に粘着層をさらに有することを特徴とする請求項１乃至請求項７のいずれか一項に記載のフレキシブルコイル。
【請求項１０】
前記導電線はループを形成するものであって、その一部に接続された電気回路と、
前記導電線に誘起される磁気共鳴信号を回路基板部に伝送するためのコネクタとをさらに備え、
前記第２の保持部材は、前記第１の保持部材において前記コネクタおよび前記電気回路近傍に配置されることを特徴とする請求項１に記載のフレキシブルコイル。
【手続補正２】
【補正対象書類名】明細書
【補正対象項目名】発明の名称
【補正方法】変更
【補正の内容】
【発明の名称】フレキシブルコイル
【手続補正３】
【補正対象書類名】明細書
【補正対象項目名】０００１
【補正方法】変更
【補正の内容】
【０００１】
本発明は、磁気共鳴信号を受信するために使用されるフレキシブルコイルに関する。
【手続補正４】
【補正対象書類名】明細書
【補正対象項目名】０００６
【補正方法】変更
【補正の内容】
【０００６】
以上の目的を達成するために本発明のフレキシブルコイルは、導電線と、前記導電線を保持するための第１の保持部材と、前記第１の保持部材の一部に積層配置された第２の保持部材とを備えた。
【手続補正５】
【補正対象書類名】明細書
【補正対象項目名】０００７
【補正方法】削除
【補正の内容】
【手続補正書】
【提出日】平成20年10月20日(2008.10.20)
【手続補正１】
【補正対象書類名】明細書
【補正対象項目名】００４３
【補正方法】変更
【補正の内容】
【００４３】
本形態の通気性無端ベルト１３Ｂのように、進行方向両側部１３Ｅ，１３Ｅが中央部１３Ｓよりも高通気性に構成すれば、外気吸引ローラ１１，１２による吸引力は、重い部分が位置しているベルト両側部１３Ｅ，１３Ｅでより強力となるから、当該吸収性物品Ｘ３を上流側コンベヤ１０Ａから下流側コンベヤ１０Ｂに受け渡すさいに、軽い中央部がさきに下流側コンベヤ１０Ｂに移動されることはなく、吸収性物品Ｘ３の重量配分にほぼ関係なく一時に受け渡すことが可能となり、かかる事故を防止することができる。
【手続補正書】
【提出日】平成20年10月23日(2008.10.23)
【手続補正１】
【補正対象書類名】明細書
【補正対象項目名】００７３
【補正方法】変更
【補正の内容】
【００７３】
【図１】本発明の実施の形態にかかるゲーム装置の斜視図である。
【図２】図１に示すゲーム装置の正面図である。
【図３】図２に示すIII−III線に沿った断面図である。
【図４】図１に示すゲーム装置の分解斜視図であって、前面側から見た図である。
【図５】図１に示すゲーム装置の分解斜視図であって、背面側から見た図である。
【図６】図１に示すゲーム装置を前方斜め上方から見た斜視図であって、入力ユニットの操作部を開放した状態を示す図である。
【図７】図６に示すゲーム装置を斜め後方から見た斜視図である。
【図８】図６に示すゲーム装置の平面図である。
【図９】図１に示すゲーム装置の構成要素である操作信号入力部の斜視図である。
【図１０】図９に示す操作信号入力部の平面図である。
【図１１】図１０に示すXI−XI線に沿った断面図である。
【図１２】図１に示すゲーム装置の構成要素である表示部の斜視図である。
【図１３】本発明の他の実施の形態にかかるゲーム装置の正面図である。
【図１４】図１３に示すXIV−XIV線に沿った断面図である。
【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
低コヒーレント長の光の一部を測定光とするとともに前記低コヒーレント長の光の一部を参照光とし，該参照光と前記測定光の反射光との合成により得られる干渉光を受光する干渉光学系を用いて被検眼の深さ方向の断層画像を得るための断層画像取得手段を備える眼科撮影装置において、
被検眼の正面眼底画像を撮影するための照明光学系及び撮影光学系を用いて眼底画像を得る眼底画像取得手段と、
該眼底画像取得手段により取得された眼底画像を記憶する記憶手段と、
前記断層画像取得手段により得られる断層画像と前記記憶手段に記憶された正面眼底画像を適宜表示する表示モニタと、
所望する眼底位置における断層画像を前記表示モニタに表示させるために，前記表示モニタに表示される前記正面眼底画像上に断層画像取得位置ラインを設定するためのライン設定手段と、
該ライン設定手段にて設定された前記断層画像取得位置ラインに基づく断層画像を前記断層画像取得手段により取得し前記表示モニタに表示する表示制御手段と、を備えることを特徴とする眼科撮影装置。
【請求項２】
請求項１の眼科撮影装置において、前記干渉光学系は前記測定光を眼底上にて２次元的に走査する走査手段を有し、
前記断層画像取得手段は、前記干渉光学系の走査手段による前記測定光の走査に同期して得られる干渉信号に基づいて３次元画像情報を取得し、
前記表示制御手段は、前記断層画像取得手段により予め取得された前記３次元画像情報と前記記憶手段に記憶された正面眼底画像とを対応付けることにより、前記断層画像取得位置ラインに基づく断層画像を前記３次元画像情報から取得する特徴とする眼科撮影装置。
【請求項３】
請求項２の眼科撮影装置において、前記表示制御手段は、前記断層画像取得手段により予め取得された前記３次元画像情報からＯＣＴ観察画像を取得し、該ＯＣＴ観察画像と前記記憶手段に記憶された正面眼底画像とを対応付けることを特徴とする眼科撮影装置。
【請求項４】
請求項３の眼科撮影装置において、前記ＯＣＴ観察画像は、網膜表層二次元ＯＣＴ画像、一定の深さ位置における二次元ＯＣＴ画像、各測定位置における深さの異なる干渉信号を合算させた二次元ＯＣＴ画像、を含むことを特徴とする眼科撮影装置。
【請求項５】
請求項１の眼科撮影装置において、前記眼底画像取得手段により取得される眼底画像は、カラー眼底画像を含むことを特徴とする眼科撮影装置。
【手続補正２】
【補正対象書類名】明細書
【補正対象項目名】０００５
【補正方法】変更
【補正の内容】
【０００５】
本発明は、上記問題点を鑑み、異なる光学系により得られる眼底断層画像と眼底正面画像を好適に対応づけできる眼科撮影装置を提供することを技術課題とする。
【手続補正３】
【補正対象書類名】明細書
【補正対象項目名】０００７
【補正方法】変更
【補正の内容】
【０００７】
（１）  低コヒーレント長の光の一部を測定光とするとともに前記低コヒーレント長の光の一部を参照光とし，該参照光と前記測定光の反射光との合成により得られる干渉光を受光する干渉光学系を用いて被検眼の深さ方向の断層画像を得るための断層画像取得手段を備える眼科撮影装置において、
被検眼の正面眼底画像を撮影するための照明光学系及び撮影光学系を用いて眼底画像を得る眼底画像取得手段と、
該眼底画像取得手段により取得された眼底画像を記憶する記憶手段と、
前記断層画像取得手段により得られる断層画像と前記記憶手段に記憶された正面眼底画像を適宜表示する表示モニタと、
所望する眼底位置における断層画像を前記表示モニタに表示させるために，前記表示モニタに表示される前記正面眼底画像上に断層画像取得位置ラインを設定するためのライン設定手段と、
該ライン設定手段にて設定された前記断層画像取得位置ラインに基づく断層画像を前記断層画像取得手段により取得し前記表示モニタに表示する表示制御手段と、を備えることを特徴とする。
（２）  （１）の眼科撮影装置において、前記干渉光学系は前記測定光を眼底上にて２次元的に走査する走査手段を有し、
前記断層画像取得手段は、前記干渉光学系の走査手段による前記測定光の走査に同期して得られる干渉信号に基づいて３次元画像情報を取得し、
前記表示制御手段は、前記断層画像取得手段により予め取得された前記３次元画像情報と前記記憶手段に記憶された正面眼底画像とを対応付けることにより、前記断層画像取得位置ラインに基づく断層画像を前記３次元画像情報から取得する特徴とする。
（３）  （２）の眼科撮影装置において、前記表示制御手段は、前記断層画像取得手段により予め取得された前記３次元画像情報からＯＣＴ観察画像を取得し、該ＯＣＴ観察画像と前記記憶手段に記憶された正面眼底画像とを対応付けることを特徴とする。
（４）  （３）の眼科撮影装置において、前記ＯＣＴ観察画像は、網膜表層二次元ＯＣＴ画像、一定の深さ位置における二次元ＯＣＴ画像、各測定位置における深さの異なる干渉信号を合算させた二次元ＯＣＴ画像、を含むことを特徴とする。
（５）  （１）の眼科撮影装置において、前記眼底画像取得手段により取得される眼底画像は、カラー眼底画像を含むことを特徴とする。
【手続補正４】
【補正対象書類名】明細書
【補正対象項目名】０００８
【補正方法】変更
【補正の内容】
【０００８】
本発明によれば、異なる光学系により得られる眼底断層画像と眼底正面画像を好適に対応づけできる。
【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
被処理物を熱分解して熱分解ガスを生成する熱分解炉と、
酸素が供給され、熱分解炉からの熱分解ガスを改質して改質ガスを生成するガス改質炉とを備え、
ガス改質炉内の酸素の平衡酸素分圧は、１０−１９〜１０−２２MPaに維持されていることを特徴とする廃棄物処理システム。
【請求項２】
ガス改質炉には、ガス改質炉を加熱する加熱装置が設けられていることを特徴とする請求項１記載の廃棄物処理システム。
【請求項３】
加熱装置は、供給される燃料に対する空気比が１未満でも駆動可能なバーナを有することを特徴とする請求項２記載の廃棄物処理システム。
【請求項４】
ガス改質炉は、前記ガス改質炉内の酸素の平衡酸素分圧より平衡解離酸素分圧の高い金属酸化物からなる本体と、本体内面に形成され、前記ガス改質炉内の酸素の平衡酸素分圧より平衡解離酸素分圧の低い金属酸化物からなる皮膜とを有することを特徴とする請求項１乃至３のいずれかに記載の廃棄物処理システム。
【請求項５】
ガス改質炉の本体を構成する金属酸化物は、鉄、ニッケル又はコバルトの酸化物であることを特徴とする請求項４記載の廃棄物処理システム。
【請求項６】
ガス改質炉の皮膜を構成する金属酸化物は、クロム、アルミニウム又はケイ素の酸化物であることを特徴とする請求項４記載の廃棄物処理システム。
【請求項７】
熱分解炉内で、被処理物を熱分解して熱分解ガスを生成する熱分解工程と、
ガス改質炉内に酸素を供給しながら、熱分解ガスを改質して改質ガスを生成する改質工程とを備え、
改質工程は、ガス改質炉内の酸素の平衡酸素分圧を、１０−１９〜１０−２２MPaに維持することを特徴とする廃棄物処理方法。
【請求項８】
ガス改質炉は、加熱装置を有し、
ガス改質炉は、加熱装置により加熱されることを特徴とする請求項７記載の廃棄物処理方法。
【請求項９】
改質工程は、ガス改質炉の温度を上げる昇温工程と、ガス改質炉の温度を一定に保つ待機保温工程と、ガス改質炉の温度を下げる降温工程と、熱分解ガスを改質して改質ガスを生成する処理工程とを有し、
昇温工程と待機保温工程と降温工程とにおいて、ガス改質炉は加熱装置により加熱されることを特徴とする請求項８記載の廃棄物処理方法。
【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
合成樹脂発泡シートが熱圧縮成形されて、多数の突出部が形成されてなる凹凸型敷きマットであって、
腰部に対応する部分の突出部は、人体の他の部分に対応する部分の突出部より剛性が高くされていることを特徴とする凹凸型敷きマット。
【請求項２】
合成樹脂発泡シートが、頭部から脚部までの部分に対応する上下２枚の発泡シートの間に、腰部に対応する部分に別の発泡シートを配して積層したものであることを特徴とする請求項1記載の凹凸型敷きマット。
【請求項３】
合成樹脂発泡シートが、頭部から脚部までの部分に対応する上下２枚の発泡シートの間に、腰部に対応する部分に別の発泡シート及び頭部から腰部までの部分に対応する部分に更に別の発泡シートを配して積層したものであることを特徴とする請求項1または２記載の凹凸型敷きマット。
【手続補正２】
【補正対象書類名】明細書
【補正対象項目名】０００４
【補正方法】変更
【補正の内容】
【０００４】
本発明の凹凸型敷きマットは、合成樹脂発泡シートが熱圧縮成形されて、多数の突出部が形成されてなる凹凸型敷きマットであって、
腰部に対応する部分の突出部は、人体の他の部分に対応する部分の突出部より剛性が高くされていることを特徴とする。
【手続補正３】
【補正対象書類名】明細書
【補正対象項目名】０００５
【補正方法】変更
【補正の内容】
【０００５】
また、本発明の凹凸型敷きマットは、合成樹脂発泡シートが、頭部から脚部までの部分に対応する上下２枚の発泡シートの間に、腰部に対応する部分に別の発泡シートを配して積層したものであることが好ましい。
【手続補正４】
【補正対象書類名】明細書
【補正対象項目名】０００６
【補正方法】変更
【補正の内容】
【０００６】
またさらに、本発明の凹凸敷きマットは、合成樹脂発泡シートが、頭部から脚部までの部分に対応する上下２枚の発泡シートの間に、腰部に対応する部分に別の発泡シート及び頭部から腰部までの部分に対応する部分に更に別の発泡シートを配して積層したものであることが好ましい。
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
第１絵柄始動手段による遊技球の検出を条件に抽選を行う第１絵柄抽選手段と、
第１絵柄表示手段に所定の変動時間で第１絵柄を変動させた後、停止させるように表示制御する第１絵柄表示制御手段と、
前記第１絵柄抽選手段が当選となった場合には、第１絵柄の変動停止後、遊技球の入球し難い状態から入球し易い状態に遷移する第２絵柄始動手段と、
前記第２絵柄始動手段による遊技球の検出を条件に所定の大当たり状態に移行させるか否かを抽選する第２絵柄抽選手段と、
第２絵柄表示手段に所定の変動時間で第２絵柄を変動させた後に停止させるように表示制御する第２絵柄表示制御手段と、
を備えた遊技機であって、
前記第１絵柄表示制御手段の所定の変動時間として、第１変動時間と、第１変動時間よりも短い第２変動時間の何れかを選択する変動時間選択手段と、
前記変動時間選択手段によって選択された変動時間を、前記第１絵柄表示制御手段に第１絵柄の変動時間として設定する変動時間設定手段と、
前記第２絵柄抽選手段の抽選結果により前記所定の大当たり状態への移行が決定した場合に、該移行決定以降大当たり状態終了までの期間中に所定条件が成立したか否かを判定する所定条件判定手段と、
前記所定条件判定手段により前記所定条件成立と判定された場合には、前記変動時間設定手段を作動させ、前記第１絵柄表示制御手段に設定される第１絵柄の変動時間を、前記所定の大当たり状態終了後の所定期間経過まで第２変動時間に切り替えて設定させる変動時間切替設定手段と、
を有することを特徴とする遊技機。
【請求項２】
前記大当たり状態中のラウンド数が所定ラウンドに達したことを検出するラウンド検出手段を備え、
前記所定条件が、前記ラウンド検出手段により所定ラウンドに達したことが検出されたことである請求項１記載の遊技機。
【請求項３】
前記所定ラウンドが最後のラウンドであり、
前記大当たり状態の最後のラウンドを除く各ラウンドの遊技終了に要する時間をそれぞれ計測するラウンド時間計測手段と、
ラウンド時間計測手段の計測結果に基づき１ラウンドの遊技終了に要する平均遊技時間を算出するラウンド平均遊技時間算出手段と、
前記ラウンド平均遊技時間算出手段の算出結果である平均遊技時間を保持しておく平均時間保持手段と、
前記最後のラウンドが開始から、最後のラウンド中における最初の第１絵柄の変動が開始されるまでの時間を示す変動開始時間を計測する変動開始時間計測手段と、
前記平均遊技時間から上記変動開始時間を除いた残余時間を算出する演算手段と、
前記残余時間が第１変動時間よりも短いか否かを判定する残余時間判定手段と、
を更に備え、
前記所定条件が、前記ラウンド検出手段により最終ラウンドに達したことが検出されたことに加えて、前記残余時間判定手段により、残余時間が第１変動時間よりも短いと判定されたことであることを特徴とする請求項２記載の遊技機。
【手続補正書】
【提出日】平成20年3月10日(2008.3.10)
【手続補正１】
【補正対象書類名】明細書
【補正対象項目名】特許請求の範囲
【補正方法】変更
【補正の内容】
【特許請求の範囲】
【請求項１】
ユーザ端末が販売サーバにクレジットカード決済に必要な情報とクレジットカード決済の要求を送信したとき、販売サーバが上記情報を与信管理サーバに送信する第１の処理と、
上記与信管理サーバが受信した上記情報に基づいて与信を確認し、与信に問題がない場合は上記与信管理サーバが購入確認サーバに確認要求の電子メールの送信依頼を送信し、上記送信依頼を受信した上記購入確認サーバが上記ユーザ端末に確認要求の電子メールを送信する第２の処理と、
上記購入確認サーバが上記電子メールを受信した上記ユーザ端末から確認をしたことを示す電子メールを受信したとき、上記購入確認サーバから上記販売サーバに上記クレジットカード決済を認める通知を送信する第３の処理と
からなるクレジットカード決済の確認方法。
【請求項２】
ユーザ端末が販売サーバにクレジットカード決済に必要な情報とクレジットカード決済の要求を送信したとき、販売サーバが上記情報を与信管理サーバに送信する第１の処理と、
上記与信管理サーバが受信した上記情報に基づいて与信を確認し、与信に問題がない場合は上記与信管理サーバが購入確認サーバのウェブページに上記ユーザおよび上記商品情報を表示する第２の処理と、
上記ユーザ端末が上記ウェブページにアクセスし購入確認の入力がされたとき、上記購入確認サーバが上記販売サーバに上記クレジットカード決済を認める通知を送信する第３の処理と
からなるクレジットカード決済の確認方法。
【手続補正２】
【補正対象書類名】明細書
【補正対象項目名】０００７
【補正方法】変更
【補正の内容】
【０００７】
【課題を解決するための手段】
この発明においては、
ユーザ端末が販売サーバにクレジットカード決済に必要な情報とクレジットカード決済の要求を送信したとき、販売サーバが上記情報を与信管理サーバに送信する第１の処理と、
上記与信管理サーバが受信した上記情報に基づいて与信を確認し、与信に問題がない場合は上記与信管理サーバが購入確認サーバに確認要求の電子メールの送信依頼を送信し、上記送信依頼を受信した上記購入確認サーバが上記ユーザ端末に確認要求の電子メールを送信する第２の処理と、
上記購入確認サーバが上記電子メールを受信した上記ユーザ端末から確認をしたことを示す電子メールを受信したとき、上記購入確認サーバから上記販売サーバに上記クレジットカード決済を認める通知を送信する第３の処理と
からなるクレジットカード決済の確認方法
とするものである。
したがって、電子メールにより本人の確認ができたときのみ、クレジットカード決済が有効とされる。
【手続補正書】
【提出日】平成20年3月4日(2008.3.4)
【手続補正１】
【補正対象書類名】明細書
【補正対象項目名】特許請求の範囲
【補正方法】変更
【補正の内容】
【特許請求の範囲】
【請求項１】  外食店舗のオーダエントリシステムにおける注文入力端末であって、
選択された注文データが入力される入力手段と、
入力された前記注文データが記憶されるとともに、前記注文データに関連するイメージデータが予め記憶されている記憶手段と、
記憶された前記注文データに前記イメージデータを対応付ける制御手段と、
前記イメージデータを基とする完成品イメージを表示する表示手段と、
を備え、
前記制御手段は、前記注文データが前記入力手段により複数入力された場合に、複数の前記注文データに対応する複数の前記イメージデータを基に、複数の前記完成品イメージを前記表示手段に同時に表示させることを特徴とする注文入力端末。
【請求項２】 前記注文データにベースメニュー及びトッピングメニューを含み、前記記憶手段は、前記ベースメニューにトッピングが合わされたトッピング付イメージデータを予め記憶し、前記入力手段によって前記ベースメニュー及び前記トッピングメニューが入力された場合に、前記制御手段は、トッピング付イメージを前記表示手段に表示させることを特徴とする請求項１に記載の注文入力端末。
【請求項３】 請求項１または請求項２に記載の注文入力端末と、
前記注文入力端末により入力された注文データを管理する制御装置と、
前記注文データを伝票として印字する出力端末と、
前記注文入力端末と前記制御装置との間、及び前記制御装置と前記出力端末との間で前記注文データを送受信する通信手段と、
を備えることを特徴とするオーダエントリシステム。
【手続補正２】
【補正対象書類名】明細書
【補正対象項目名】００１７
【補正方法】変更
【補正の内容】
【００１７】
トッピングメニューからの選択が実施されると、前述のベースメニューとトッピングをあわせた完成品のトッピング付イメージデータを格納している記憶部６から読み出し、即座に画面に表示（図４（ａ））し、顧客にそのトッピング付イメージを確認させる。同時に更なる追加の有無の確認表示をおこない、完了の場合には、前述のオーダ終了確認を促す表示を行う。ベースメニューの追加などの場合も同様に追加するメニューを一覧表示させ、顧客に選択を促し,追加メニューが決定すると、記憶部６に格納された、追加メニューの画像データを前記ベースメニューの画像データと一緒に表示させ、図４（ｂ）のように顧客に注文した料理の完成品のトッピング付イメージを確認させる。同時に、追加オーダが完了したかどうかの確認を促す表示をおこなう。前述のトッピング含めてオーダが完了すると、通信部１０により無線もしくは、有線通信により、制御装置２もしくは、無線中継機３にオーダデータを転送し、転送が完了すると、その旨の表示をおこない、オーダ処理を完了させる。
【手続補正書】
【提出日】平成20年5月22日(2008.5.22)
【手続補正１】
【補正対象書類名】明細書
【補正対象項目名】特許請求の範囲
【補正方法】変更
【補正の内容】
【特許請求の範囲】
【請求項１】
基地局と複数の移動局が互いにワイドバンド符号分割多重アクセス技術を用いて通信できる無線通信システムであって、
前記基地局は既知のサンプリングレートで動作し、そして前記基地局は、
各移動局から時間的に離間した信号を受信するよう構成された複数のＰ本のアンテナと、
前記複数のアンテナの出力を前記サンプリングレートのＰ倍のレートで多重化する多重化システム（４０）とを有し、前記Ｐ本のアンテナの各々の出力から得られたサンプルは、Ｐ個の第１サンプルと、その後に続くＰ個の第２サンプルと、以後順番に後続するサンプルの連続に生じるものであり、さらに、
Ｐ×Ｎ個の直列接続された素子を有する、前記多重化システムの出力に接続されたタップ付きの遅延線（４２）を有し、各Ｐ番目の素子はタップ付きの出力を有しており、さらに、
前記タップ付き遅延線からの出力と局部的に生成された符号信号とをクロス相関するよう動作する、前記遅延線のＮ個の出力に接続されたＮ個の入力相関手段（４４）とを有することを特徴とする無線通信システム。
【請求項２】
前記入力相関手段は、
各入力に到達した信号を前記局部的に生成された符号により決定された係数で乗算する乗算手段と、
前記各入力に対し得られた積を加算する加算手段と、
前記加算された和が所定のしきい値を越えたときを監視して相関の指標を供給するしきい値手段とを有することを特徴とする請求項１記載のシステム。
【請求項３】
前記Ｐが４に等しく、４本のアンテナのうちの２本のアンテナは、基地局により割り当てられた１２０°のセグメントで動作し、その余の２本のアンテナは、基地局に割り当てられた隣接する１２０°のセグメントで動作することを特徴とする請求項１または２記載のシステム。
【手続補正書】
【提出日】平成20年5月16日(2008.5.16)
【手続補正１】
【補正対象書類名】明細書
【補正対象項目名】特許請求の範囲
【補正方法】変更
【補正の内容】
【特許請求の範囲】
【請求項１】
移動局と宛先局との間のアップリンク及びダウンリンク伝送用の実時間データ伝送システムであって、
前記移動局が、アップリンク伝送において、データストリーム内でペイロードに添付する移動局自体の識別と宛先識別とを含むヘッダを生成することにより、データストリームをペイロードに付加し、
無線ネットワーク制御器は、前記データストリームの受信時に、前記データストリームを識別する、呼制御システムから取得されたトンネル識別をペイロードに付加し、その後、前記データストリームを直接にメディアゲートウェイに向けて送信し、
前記メディアゲートウェイは、ダウンリンク伝送において、取り扱い担当の一般パケット無線システムサポートノード（ＳＧＳＮ）から取得された前記移動局識別と移動局入力ポート識別とを含むヘッダを有するデータストリームを受信し、
前記メディアゲートウェイは、前記ヘッダ内の前記移動局識別及び前記移動局入力ポート識別の両方を、前記呼制御システムから取得された前記無線ネットワーク制御器のアドレス、前記入力ポート識別、及び前記データストリームを識別するトンネル識別に置換するように作動し、その後、前記データストリームを直接に前記無線ネットワーク制御器に向けて送信し、
前記無線ネットワーク制御器が、前記ヘッダ内の前記無線ネットワーク制御器の前記アドレスを、前記ＳＧＳＮを介して前記呼制御システムから取得された前記移動局識別及び移動局入力ポート識別に置換するように作動し、そして、受信されたトンネル識別データに応動して、前記データストリームを識別し、前記データストリームを前記移動局にリンクする対応する無線ベアラに向けて前記データストリームを送信することを特徴とするシステム。
【請求項２】
移動局と無線ネットワーク制御器とメディアゲートウェイと宛先局と呼制御システムとからなるネットワークにおける実時間データ伝送方法であって、ヘッダ部とペイロード部とを有するデータストリームの前記移動局と前記宛先局との間の伝送が、前記ヘッダ部の内容によって制御されるものであり、前記方法が、
前記移動局から前記宛先局へのアップリンク伝送において、前記移動局及び前記宛先局の両方の識別を前記移動局から前記無線ネットワーク制御器に伝送されるデータストリームの前記ヘッダ部に付加するステップと、前記無線ネットワーク制御器を通る前記データストリームのヘッダ部に、前記呼制御システムから取得されたトンネル識別を付加するステップと、前記データストリームを前記無線ネットワーク制御器から前記メディアゲートウェイに送信するステップとを有し、
前記宛先局から前記移動局へのダウンリンク伝送において、前記宛先局から送られる前記データストリームの前記ヘッダ部に、前記呼制御システムから取得された前記移動局識別及びポート識別を付加するステップと、前記データストリームがメディアゲートウェイを通る際に、前記データストリームの前記ヘッダ内の前記移動局識別及びポート識別を、前記呼制御システムから取得された前記無線ネットワーク制御器のアドレス、前記入力ポート識別、及び前記データストリームについてのトンネル識別に置換するステップと、前記データストリームを前記無線ネットワーク制御器に送信するステップと、前記データストリームが前記無線ネットワーク制御器を通る際に、前記データストリームの前記ヘッダ内の前記無線ネットワーク制御器の前記アドレス及びポート識別を、前記取り扱い担当の一般パケット無線システムサポートノード（ＳＧＳＮ）を介して前記呼制御システムから取得された前記移動局識別及び移動局入力ポート識別に置換するステップと、前記データストリームを前記移動局に送信するステップとを有することを特徴とする方法。
【請求項３】
前記無線ネットワーク制御器に、前記呼制御システムから受信されたトンネル識別名データに応動させて、前記データストリームを識別し、前記データストリームを前記移動局にリンクする対応する無線ベアラを介して前記データストリームを送信するステップを含むことを特徴とする請求項２の方法。
【請求項４】
移動局と無線ネットワーク制御器とメディアゲートウェイと宛先局と呼制御システムとからなるネットワークにおける実時間データ伝送方法であって、ヘッダ部とペイロード部とを有するデータストリームの前記移動局と前記宛先局との間の伝送が、前記ヘッダ部の内容によって制御されるものであり、前記方法が、
前記データストリームが前記ネットワーク内のある場所から別の場所に送られる際に、前記ヘッダ部内のアドレス関連データの少なくともいくらかを内部アドレス関連データに置換し、それにより、前記ネットワークを通しての前記データストリームの経路と前記ペイロード部に対する前記ヘッダ部のサイズの割合とを削減するステップからなることを特徴とする方法。
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
メインストリームデータのデパケット化において使用されるメインストリームＡＴＣと、前記デパケット化されたメインストリームデータのデコードにおいて使用されるメインストリームＳＴＣとを用いてメインストリームデータを再生する段階と、
前記メインストリームＡＴＣから独立したサブオーディオＡＴＣと、前記メインストリームＳＴＣから独立したサブオーディオＳＴＣとを用いて、前記メインストリームデータに別途に付加されたサブオーディオデータを再生する段階とを含む再生方法。